(57)【要約】【課題】片引き戸の施工が容易で、かつ２重壁から成る片引き戸の格納スペースの掃除が可能な片引き戸の建て付け構造を提供すること。【解決手段】片引き戸２０の開口部５０に隣接する壁が内壁３０、外壁４０から成る２重壁構造であって、該両壁３０，４０間で格納スペース５２を区画形成し、片引き戸２０が開いたときに格納スペース５２へ引き込まれるようにした片引き戸の建て付け構造１０である。固定された内壁３０に対して、外壁４０は嵌脱自由に形成され、外壁４０が嵌合される上枠１１、下枠１２に壁用ガイド部材としてガイドレール１７，１８が設けられる。外壁４０は上端面及び下端面に前記ガイドレールが嵌合する溝４１，４２が形成され、片引き戸２０の開口部５０から嵌入された外壁４０は片引き戸２０の開閉方向に沿って摺動可能であって、外壁４０の開口部側端面で中間枠４３をストッパとして解除可能に固定する。【選択図】図１
2005232758.tif 000002
【特許請求の範囲】
【請求項１】
片引き戸で開閉される開口に隣接する壁を内壁と外壁から成る２重壁構造にして内外両壁で格納スペースを区画形成し、片引き戸が開いたとき格納スペースに引き込まれるようにした片引き戸の建て付け構造であって、上下枠のそれぞれに壁用ガイド部材を固設し、内壁又は外壁の少なくとも一方の壁の上端面と下端面をそれぞれ壁用ガイド部材に片引き戸の開閉方向に沿って摺動可能に前記開口からはめ込み、ストッパで解除可能に固定することを特徴とする片引き戸の建て付け構造。
【請求項２】
上下枠のそれぞれに壁用ガイド部材としてガイドレールを固定し、前記壁の上下両端面に各壁用ガイドレールが嵌合する嵌合溝を形成することを特徴とする請求項１に記載の片引き戸の建て付け構造。
【発明の詳細な説明】
【技術分野】
【０００１】
本発明は、片引き戸の建て付け構造に関し、より詳しくは片引き戸で開閉される開口に隣接する壁を内壁と外壁から成る２重壁構造にして内外両壁で格納部を区画形成し、片引き戸が開いたとき格納部に引き込まれるようにした片引き戸の建て付け構造に関する。
【背景技術】
【０００２】
一般に、片引き戸は開いたとき開口に隣接する壁の外面に沿って納まるように建て付けられている。このような建て付け構造では、例えば壁に隣接して洗面台や家具を設置した場合、壁と洗面台や家具との間に片引き戸が引き込まれるスペースを設ける必要があり、そのスペースにゴミや埃が溜まり易い。また、高齢者のために壁の外面に手摺りを取り付けたくとも、片引き戸と干渉するため取り付けることができない。
このような不都合を解消する手段として、片引き戸で開閉される開口に隣接する壁を内壁と外壁から成る２重壁構造にして内外両壁で格納スペースを区画形成し、片引き戸が開いたとき格納スペースに引き込まれるようにした片引き戸の建て付け構造が知られている。このような建て付け構造によれば、壁に洗面台や家具を密接して設置できるので、家具と壁の間にゴミや埃が溜まるのを防止できる。また、壁に手摺りを取り付けることも可能となる。
【特許文献１】引用なし
【発明の開示】
【発明が解決しようとする課題】
【０００３】
ところで、片引き戸の建て付け構造にあっては、片引き戸で開口を全閉したとき片引き戸と壁の側端間に隙間が生じないようにするため、壁の側端に片引き戸の側端が重なるように建て付ける必要がある。２重壁で片引き戸の格納スペースを形成する場合、予め下枠に片引き戸のガイドレールを敷設し、その後、ガイドレール両側に２重壁を施工するが、少なくとも一方の壁の幅は片引き戸を全閉したとき、引き戸と壁の間に隙間が生じる寸法のものを施工する。隙間が無いと上枠と下枠の間に片引き戸をはめ込むとき、壁と干渉するので、はめ込むことができないからである。そして、２重壁施工後、片引き戸を上枠と下枠の間に摺動可能にはめ込み、しかる後に壁の側端に縦枠を取り付けて、片引き戸を全閉したとき壁との間に生じる隙間をこの縦枠で塞いでいる。
【０００４】
このように、従来の２重壁にした片引き戸の建て付け構造は２重壁を施工する前に片引き戸用のガイドレールを敷設しなければならず、また２重壁を施工した後に縦枠で隙間を塞ぐため建て付け作業が甚だ面倒である。また、建て付けた後は片引き戸を外せないので、２重壁で形成した格納スペースの内部を掃除することが出来ない。
本発明はかかる問題点に鑑み、施工が容易で、かつ２重壁の内部スペースの掃除が可能な片引き戸の建て付け構造を提供することを目的とする。
【課題を解決するための手段】
【０００５】
本発明は、片引き戸で開閉される開口に隣接する壁を内壁と外壁から成る２重壁構造にして内外両壁で格納スペースを区画形成し、片引き戸が開いたとき格納スペースに引き込まれるようにした片引き戸の建て付け構造であって、上下枠のそれぞれに壁用ガイド部材を固設し、内壁又は外壁の少なくとも一方の壁の上端面と下端面をそれぞれ壁用ガイド部材に片引き戸の開閉方向に沿って摺動可能に前記開口からはめ込み、ストッパで解除可能に固定することを特徴とする。
そして好ましくは、上下枠のそれぞれに壁用ガイド部材としてガイドレールを固定し、前記壁の上下両端面に各壁用ガイドレールが嵌合する嵌合溝を形成する。
【発明の効果】
【０００６】
本発明によれば、壁を開口からガイド部材にはめ込んで摺動させることにより壁を上下枠間に取り付けてストッパで固定でき、かつ固定を解除して壁を開口から取り外すことができる。このため片引き戸を全閉したとき片引き戸と壁が部分的に重なって、片引き戸と壁の端面の間に隙間が生じないような幅寸法の壁材料を使用でき、施工現場で壁施工後に隙間を塞ぐための作業を必要としない。また、壁を取り外せば内外両壁の間の片引き戸格納スペースが開放されるので、きれいに掃除できる。
とりわけ、上下枠に壁用ガイドレールを固定するとともに壁に嵌合溝を形成することにより、壁の組み付け作業及び壁の取り外し作業が容易になる。さらに、壁がガイドレールによって支持されるので、抜け止め手段で抜け止めするだけで壁を上下枠間に強固に取り付けることができる。
【発明を実施するための最良の形態】
【０００７】
本発明の片引き戸の建て付け構造は、片引き戸の開口部に隣接する壁が内外両壁から成る２重壁構造であって、該両壁間で格納スペースを区画形成し、片引き戸が開いたときに前記格納スペースへ引き込まれるようにした片引き戸の建て付け構造である。固定される内壁に対して、外壁が嵌脱自由に形成され、外壁が嵌合される上下枠に壁用ガイド部材としてガイドレールが設けられる。外壁は上端面及び下端面に前記ガイドレールが嵌合する溝が形成され、片引き戸の開口部から嵌入された外壁は片引き戸の開閉方向に沿って摺動可能であって、外壁の開口部側端面で中間枠をストッパとして解除可能に固定する。
【実施例１】
【０００８】
本発明の実施例を図に基づき説明する。図１には本実施例に係る片引き戸の建て付け構造１０が示されている。当該建て付け構造１０は、上枠１１、下枠１２と左右の縦枠１３及び中間枠１４、巾木１５、片引き戸２０及び内壁３０と外壁４０から構成され、片引き戸２０によって開閉される開口５０が上枠１１と下枠１２と縦枠１３及び中間枠１４で形成され、内壁３０が上枠１１、下枠１２と縦枠１３及び中間枠１４で形成される区画５１にはめ込まれている。
【０００９】
上枠１１には片引き戸２０の上端部に固定したローラ２１が回転可能に嵌合する片引き戸用アッパガイドレール１５が固設されている。一方、下枠１２には片引き戸２０の下端面に形成した嵌合溝２２に嵌合する断面Ｌ字形の片引き戸用ロアガイドレール１６が固設されている。片引き戸２０は両ガイドレール１５，１６に沿って摺動し、開口５０が片引き戸２０によって開閉される。
【００１０】
内壁３０と外壁４０はその間に片引き戸２０を開いたとき格納する格納スペース５２が形成されるように上枠１１と下枠１２間に取り付けられている。
内壁３０は上枠１１と下枠１２にビス、釘等で固定されている。一方、上枠１１と下枠１２のそれぞれに断面Ｌ字形の外壁用アッパガイドレール１７とロアガイドレール１８が片引き戸用ガイドレール１５，１６と平行に固定され、外壁４０の上下両端面にこれらガイドレール１７，１８が嵌合する嵌合溝４１，４２が形成されている。外壁４０は開口５０から上枠１１と下枠１２の間に差し入れて、このガイドレール１７，１８に摺動可能に組み付けられている。従って、外壁４０は片引き戸２０と平行に移動可能であるので、固定するためのストッパとして中間枠４３が取り付けられている。この中間枠４３は、上下両端部をそれぞれ上枠１１、下枠１２にビス等で着脱可能に固着され、外壁４０の開口側端面に当接するように取り付けられている。巾木４４は外壁４０の下部を覆うように中間枠４３と縦枠１３ａの間に取り付けられ、ビス等で中間枠４３と縦枠１３ａに固定されている。
【００１１】
上枠１１には緩衝材として軟質ゴムシート１９が貼着され、外壁４０の上端面がゴムシート１９に当接している。外壁４０の下端部の前後２箇所に戸車４５が取り付けられている。この戸車４５は調整ネジ４６を回すと、外壁４０の下端面からの突出寸法を調整できる構造を備えている。戸車４５の突出寸法を調整することで、外壁４０が円滑に摺動し、かつ中間枠４３で固定したときガタつかないように取り付けられる。
【００１２】
本実施例に係る片引き戸の建て付け構造１０は以上の通りであって、図３に示すように、片引き戸２０は開いたとき格納スペース５２に格納される。格納スペース５２の内部を掃除するには、図４に示すように中間枠４３と巾木４４を取り外して外壁４０を両ガイドレール１７，１８に沿って摺動可能な状態にし、図５に示すように開口５０側へ移動して格納スペース５２を開放する。外壁４０は両ガイドレール１７，１８から外れるまで開口５０側へ移動すれば、上枠１１、下枠１２間から取り外すことができる。
【００１３】
外壁４０を取り付けるには、図５に示すように外壁４０を開口５０から上枠１１、下枠１２間に差し込み、上枠１１、下枠１２に沿って縦枠１３ａ方向へ移動させ、嵌合溝４１，４２をガイドレール１７，１８にはめ込んで、縦枠１３ａに当接するまでガイドレール１７，１８に沿って摺動させる。そして、中間枠４３を上枠１１、下枠１２に取り付けて外壁４０を固定し、巾木４４を縦枠１３ａと中間枠４３に固定する。
【産業上の利用可能性】
【００１４】
本発明の片引き戸の建て付け構造は、片引き戸の格納スペースが建て付け後も掃除することができる。したがって片引き戸が従前と比較して衛生的に保つことが可能であり、乳幼児、高齢者などが居住する家屋、病院などの片引き戸の構造に利用することができる。
【図面の簡単な説明】
【００１５】
【図１】本発明の実施例１に係る片引き戸の建て付け構造を示す外壁側からの側面図である。
【図２】図１の２−２線から切断した断面図である。
【図３】本発明の実施例１に係る片引き戸の建て付け構造で片引き戸が開いたときを示す外壁側からの側面図である。
【図４】本発明の実施例１に係る片引き戸の建て付け構造の使用方法を示す側面図である。
【図５】本発明の実施例１に係る片引き戸の建て付け構造の使用方法を示す側面図である。
【符号の説明】
【００１６】
１０…片引き戸の建て付け構造、１１…上枠、１２…下枠、１３…縦枠、１４…中間枠、１５…片引き戸用アッパガイドレール、１６…片引き戸用ロアガイドレール、１７…外壁用アッパガイドレール、１８…外壁用ロアガイドレール、１９…軟質ゴムシート。
２０…片引き戸、２１…片引き戸ガイドローラ、２２…片引き戸嵌合溝。
３０…内壁。
４０…外壁、４１，４２…嵌合溝、４３…中間枠、４４…巾木、４５…戸車、４６…調整ネジ。
５０…開口部、５１…閉口部、５２…格納スペース。
【図１】
2005232758.tif 000003
【図２】
2005232758.tif 000004
【図３】
2005232758.tif 000005
【図４】
2005232758.tif 000006
【図５】
2005232758.tif 000007